(57)【要約】  【課題】  自動車事故の原因の究明のみならず、タクシー等において犯罪が発生したときの犯人の特定等に確実性の高い情報を与えることができると共に、製品単価を抑えながらも貴重なデータの消失を確実に防止することのできる車載画像記録装置を提供する。  【解決手段】  ＣＣＤカメラ５により前方の映像を撮影してメモリカード２の所定の記憶領域に記録し続け、記憶領域の記録容量を超えると、古い情報の上に新しい情報を順次書き換えていく。加速度センサ２０またはドアオープンスイッチ２１からの信号が入力されると、その前後の記録情報が残るように、制御装置１５は当該記憶領域の記録容量が満杯になった時点で記録動作を停止して当該記憶領域の記録を保存した後、別の記憶領域に継続して記録し続ける。従って車載画像記録装置１１には、事故前後または乗車客を特定する記録情報が確実に保存される。  【選択図】  図２
2006350583.tif 000002
【特許請求の範囲】
【請求項１】
自動車に取り付けられて少なくとも前方の車や人等の画像を撮影する撮影手段と、画像情報を記録可能な複数の記憶領域が形成された記録媒体と、前記撮影手段によって撮影された画像情報を、所定の記憶領域にその記録容量を超える毎に古い情報の上に新しい情報を順次書き換えて記憶する更新記録手段とを備えた車載画像記録装置であって、
前記自動車の所定のドアを自動開放するドア自動開放装置と、該ドア自動開放装置を駆動する運転手が操作可能な操作手段と、該操作手段が操作された場合には、前記更新記録手段に、前記所定の記憶領域への更新記録動作を停止させると共に、該所定の記憶領域とは別の記憶領域に更新記録動作を開始させる制御手段とを備えたことを特徴とする車載画像記録装置。
【請求項２】
前記自動車の衝撃を検出する検出手段を備え、前記制御手段は、該検出手段が衝撃を検出した場合にも実行されることを特徴とする請求項１に記載の車載画像記録装置。
【請求項３】
前記制御手段は、前記所定の記憶領域の記録容量が満杯になるのを待ってから前記更新記録手段による該所定の記憶領域への更新記録動作を停止することを特徴とする請求項１または請求項２に記載の車載画像記録装置。
【請求項４】
前記更新記録手段による前記所定の記憶領域への更新記録動作を停止したしたときに、別の記憶領域に画像情報記録が全て保存されている場合には、前記制御手段による別の記憶領域への更新記録動作の開始を禁止する記録禁止手段を備えたことを特徴とする請求項１乃至請求項３の何れかに記載の車載画像記録装置。
【請求項５】
前記更新記録手段による前記所定の記憶領域への更新記録動作を停止したしたときに、別の記憶領域に画像情報記録が全て保存されている場合には、前記制御手段は、最も古い画像情報記録が保存されている記憶領域に前記更新記録手段による更新記録動作を開始させる記録継続手段を備えたことを特徴とする請求項１乃至請求項３の何れかに記載の車載画像記録装置。
【請求項６】
全ての記憶領域に画像情報記録が保存されている場合には、その旨を外部に報知する報知手段を備えたことを特徴とする請求項１乃至請求項５の何れかに記載の車載画像記録装置。
【発明の詳細な説明】
【技術分野】
【０００１】
本発明は、自動車内から車外の景色や人物を撮像し画像情報として記録し、事故や犯罪が発生したときに該画像情報の記録により、事故原因の究明や犯人の特定に役だたせることができる車載画像記録装置に関する。
【背景技術】
【０００２】
従来より、自動車内にビデオカメラ等の画像記録装置を搭載し、事故に遭遇した場合の事故発生前の一定時間から事故発生までの状況を記録して、事故原因の解析資料等に供する技術は種々提案されている（例えば、特許文献１参照、以下、従来技術という）。
【０００３】
このような従来技術においては製品単価を抑えるため、自動車運転中の全ての運転状況のデータを蓄えることはなく、装置の作動中は古いデータを順次消しながら新しいデータを書き込む方式（上書方式）が採用されているものが多い。そして自動車に負荷される加速度、衝撃等を検出するセンサから、自動車に所定以上の負荷がかかったと判断された場合にのみ、即ち自動車事故が発生した場合にのみ当該装置の作動を停止して、事故発生後も装置が作動し続けることにより事故発生に至る貴重な運行状況のデータが消去されることを防止するようにしている。
【０００４】
【特許文献１】特開平５−２０５９２号公報
【発明の開示】
【発明が解決しようとする課題】
【０００５】
ところで、近年、凶悪な犯罪が多発し、中でもタクシーの客になりすまして売上金を強奪する事件等も発生しており、この場合には運転手が死に至るケースもあり、由々しき問題となっている。しかしながら、従来技術においては、このようなケースは想定外であり、上述したように自動車事故が発生した場合以外は、折角記録した画像データは上書きされてしまい、従ってこのような事件の犯人を特定するうえで貴重な証拠となるデータも消失してしまっているおそれがある。即ち従来技術においては、自動車事故が発生した場合以外は、記録した画像データを保存して活用しようとする技術思想はない。
【０００６】
更に、このような従来技術では、人為的なミスや装置の誤作動等により、事故が発生した後に装置が作動すると、折角記録した貴重な事故に係わるデータも上書きされてしまい、即ち事故の原因を究明するデータが消去される危険性もある。
【０００７】
本発明は、このような問題点の少なくとも何れかを解決するためになされたもので、その目的とするところは、自動車事故の原因の究明のみならず犯罪等が発生したときの犯人の特定に確実性の高い情報を与えることができると共に、製品単価を抑えながらも貴重なデータの消失を確実に防止することのできる車載画像記録装置を提供することにある。
【課題を解決するための手段】
【０００８】
このような問題を解決するために、本発明の車載画像記録装置は、請求項１に記載したように、自動車に取り付けられて少なくとも前方の車や人等の画像を撮影する撮影手段と、画像情報を記録可能な複数の記憶領域が形成された記録媒体と、前記撮影手段によって撮影された画像情報を、所定の記憶領域にその記録容量を超える毎に古い情報の上に新しい情報を順次書き換えて記憶する更新記録手段とを備えた車載画像記録装置であって、前記自動車の所定のドアを自動開放するドア自動開放装置と、該ドア自動開放装置を駆動する運転手が操作可能な操作手段と、該操作手段が操作された場合には、前記更新記録手段に、前記所定の記憶領域への更新記録動作を停止させると共に、該所定の記憶領域とは別の記憶領域に更新記録動作を開始させる制御手段とを備えたことを特徴とする。
【０００９】
また、請求項２の発明は、請求項１に記載の車載画像記録装置において、前記自動車の衝撃を検出する検出手段を備え、前記制御手段は、該検出手段が衝撃を検出した場合にも実行されることを特徴とする。
【００１０】
また、請求項３の発明は、請求項１または請求項２に記載の車載画像記録装置において、前記制御手段は、前記所定の記憶領域の記録容量が満杯になるのを待ってから前記更新記録手段による該所定の記憶領域への更新記録動作を停止することを特徴とする。
また、請求項４の発明は、請求項１乃至請求項３の何れかに記載の車載画像記録装置において、前記更新記録手段による前記所定の記憶領域への更新記録動作を停止したしたときに、別の記憶領域に画像情報記録が全て保存されている場合には、前記制御手段による別の記憶領域への更新記録動作の開始を禁止する記録禁止手段を備えたことを特徴とする。
また、請求項５の発明は、請求項１乃至請求項３の何れかに記載の車載画像記録装置において、前記更新記録手段による前記所定の記憶領域への更新記録動作を停止したしたときに、別の記憶領域に画像情報記録が全て保存されている場合には、前記制御手段は、最も古い画像情報記録が保存されている記憶領域に前記更新記録手段による更新記録動作を開始させる記録継続手段を備えたことを特徴とする。
また、請求項６の発明は、請求項１乃至請求項５の何れかに記載の車載画像記録装置において、全ての記憶領域に画像情報記録が保存されている場合には、その旨を外部に報知する報知手段を備えたことを特徴とする。
【発明の効果】
【００１１】
請求項１の発明は、撮影手段により前方の車や人等を撮影した画像を、更新記録手段が画像情報として記録媒体に記録する。記録媒体には画像情報を記録可能な複数の記憶領域が形成されており、更新記録手段は、所定の記憶領域にその記録容量を超える毎に古い情報の上に新しい情報を順次書き換えて記憶する。つまり更新記録手段は、記録媒体の所定の記憶領域に画像情報を上書きしながら記録し続ける。
【００１２】
そして運転手が、ドア自動開放装置を駆動する操作手段を操作すると、自動車の所定のドアが自動開放し、更に制御手段が更新記録手段による所定の記憶領域への更新記録動作を停止すると共に、今まで記録していた所定の記憶領域とは別の記憶領域に更新記録動作を開始する。これにより、ドアが自動開放するまでの撮影手段が撮影した一定時間の画像が、記録媒体の所定の記憶領域に画像情報として上書きされることなく保存され、更にドアが自動開放した後の画像情報は、別の記憶領域に記録されていく。
【００１３】
例えば自動車がタクシーの場合には、運転手が左後方のドアを自動開放するまでの状況記録が所定の記憶領域に保存され、これによりタクシーに乗車した人を特定することが可能となる。更にドアが自動開放された後の状況は別の記憶領域に記録され続け、その後ドアが自動開放されると上記と同様に、当該ドアを自動開放するまでの状況記録が別の記憶領域に保存されることになる。即ち記録媒体の複数の記憶領域のそれぞれには、ドアを自動開放するまでの状況記録が順次保存されていくことになる。しかも、タクシーには、ドア自動開放装置及びドア自動開放装置を駆動する操作手段は予め標準装備されている。
【００１４】
ここで撮影手段としてはＣＣＤカメラ、記録媒体としては着脱自在な不揮発性メモリで構成されたフラッシュメモリカード等が好ましい。また記憶領域の数や記憶容量は適宜設定すれば良い。
【００１５】
従って請求項１の発明によれば、タクシーで強盗事件等の犯罪が発生しても、犯人を特定するうえで貴重な証拠となる画像情報を確実に保存して再現することができ、その結果、事件解明に大いに役立つと共に、犯罪抑止にもつながる。また、自動的に複数の画像情報を確実に保存することができるので使い勝手が良く、更に更新記録手段を備えているので、記録媒体の記憶容量をあまり大きくする必要がなく、その結果、製品単価を抑えることもできる。
【００１６】
また請求項２の発明によれば、自動車の衝撃を検出する検出手段、例えば加速度センサを備え、検出手段が衝撃を検出した場合にも、即ち自動車事故が発生した場合にも制御手段が、上記と同様に更新記録手段による所定の記憶領域への更新記録動作を停止させると共に、別の記憶領域に更新記録動作を開始させる。従って請求項２の発明では、請求項１の発明の効果に加え、事故発生前の一定時間から事故発生までの状況記録も併せて保存して、後で容易に再現することができるので、事故発生時の状況や原因を正確に把握できる。
【００１７】
また請求項３の発明によれば、操作手段が操作されると、または検出手段が衝撃を検出すると、制御手段は、所定の記憶領域の記録容量が満杯になるのを待ってから更新記録手段による所定の記憶領域への更新記録動作を停止する。つまり本発明では、ドアが自動開放された後、または事故が発生した後の状況も所定の記憶領域の記録容量が満杯になるまで記録してから保存されるので、例えば二次的な事件や事故の情報記録も保存可能となり、その結果、記録媒体の記録容量をフルに活用したより有益な情報を提供することができる。
【００１８】
また請求項４の発明によれば、更新記録手段により所定の記憶領域へ更新記録しているときに操作手段が操作されると、または検出手段が衝撃を検出すると、制御手段は所定の記憶領域への更新記録動作を停止して、別の記憶領域への更新記録動作を開始するのであるが、ここで更新記録動作を停止して所定の記憶領域へ画像情報記録を保存した時点で、別の記憶領域に画像情報記録が全て保存されている場合には、記録禁止手段が、制御手段による別の記憶領域への更新記録動作の開始を禁止する。
【００１９】
つまり本発明では、操作手段の操作または検出手段の衝撃の検出に基づいて更新記録手段が所定の記憶領域への更新記録動作を停止した時に、既に別の全ての記憶領域に画像情報記録が保存されているときは、この別の記憶領域に保存されている画像情報記録が上書きされて消失しないように保護するのである。従って本発明によれば、貴重なデータが消失してしまうことを確実に防止することができる。
【００２０】
また請求項５の発明によれば、制御手段は記録継続手段を備えており、請求項４の発明と同様な場合、即ち更新記録動作を停止して所定の記憶領域へ画像情報記録を保存した時点で、別の記憶領域に画像情報記録が全て保存されている場合には、この記録継続手段が、最も古い画像情報記録が保存されている記憶領域に更新記録手段による更新記録動作を開始させる。
【００２１】
つまり本発明では、操作手段の操作または検出手段の衝撃の検出に基づいて更新記録手段が所定の記憶領域への更新記録動作を停止した時に、既に別の全ての記憶領域に画像情報記録が保存されているときは、次に最も古い画像情報記録が保存されている記憶領域に更新記録動作を開始するのである。従って本発明によれば、常時、最新の貴重なデータが自動的に記録保存でき、使い勝手が良い。
【００２２】
また請求項６の発明によれば、全ての記憶領域に画像情報記録が保存されている場合には、報知手段が、その旨を外部に報知する。特に請求項４の発明に係わり、記録禁止手段が実行されていると、新しい画像情報を記録することができなくなるので、この報知手段により、必要のなくなった古い画像情報記録を削除して記録可能な状態に記憶領域を確保しておけば良い。或いは請求項５の発明に係わり、記録継続手段が実行されていると、最も古い画像情報記録が消去されてしまうので、この報知手段により、まだ必要なデータは例えば他の記録メディアに保存するようにすれば良い。
【００２３】
ここで報知手段としては発光ダイオード（ＬＥＤ）やランプの点灯・点滅による報知、或いは文字表示や音声等の報知であっても良い。
【００２４】
従って請求項６の発明によれば、貴重なデータを記録することができなかったり、或いは消去してしまったりということを防止することができる。なお本発明において、全ての記憶領域に画像情報記録が保存されている場合に替えて、記録保存可能な残りの記憶領域の数が所定数（例えば１つ）になった場合とする構成も採用することができる。
【発明を実施するための最良の形態】
【００２５】
以下、図面を参照して本発明の一実施形態について説明をする。図１は、本発明の一実施形態に係る車載画像記録装置本体１の外観斜視図であり、図１（Ａ）は表面を、図１（Ｂ）は裏面を示している。また図２は、本発明の一実施形態に係る車載画像記録装置１１の制御系統を示すブロック図である。車載画像記録装置本体１は、筐体４にて略細長い直方体状に形成され、取り外し可能に適宜手段で自動車のダッシュボード上やフロントガラス内面に運転手の視界の妨げにならないように取り付けられる。
【００２６】
車載画像記録装置本体１には、筐体４の上面にメモリカード２を挿入するカードスロット３等が設けられ、また前面には、ＣＣＤカメラ５とマイクロフォン６等が設けられている。筐体４の裏面には、画像表示装置としてのＬＣＤ（液晶ディスプレイ）７と、複数の操作ボタン８と、報知手段としてのＬＥＤ（発光ダイオード）９と、スピーカ１０等が設けられている。また、筐体４の内部には制御装置１５と、加速度センサ２０と、電源切換回路２２と、非常電源２３等が設けられている。
【００２７】
図２を参照して、車載画像記録装置１１は、車載画像記録装置本体１、ドアオープンスイッチ２１、外部電源２４及びキー入力３０から構成されている。まず制御装置１５には、図示しない入力回路を介してＣＣＤカメラ５、マイクロフォン６、操作ボタン８、加速度センサ２０、電源切換回路２２からの信号が入力される。また、後述するドアオープンスイッチ２１からの信号も入力される。なお、電源切換回路２２には、非常電源２３と後述する外部電源２４及びキー入力３０からの信号が入力される。一方、制御装置１５は、図示しない出力回路を介してメモリカード２、ＬＣＤ７、ＬＥＤ９、スピーカ１０に所定の信号を出力する。
【００２８】
ＣＣＤカメラ５は、自動車の前方を撮影して制御装置１５に画像信号を出力する装置であり、極力視野角の広いものが望ましい。マイクロフォン６は、周囲の音声を取り込んで制御装置１５に音声信号を出力する装置である。
【００２９】
制御装置１５は主にワンチップマイクロコンピュータ等で構成され、図示しない画像信号処理部及び音声信号処理部を有し、ＣＣＤカメラ５より出力される画像信号を記録可能な信号に画像信号処理部で変換し、マイクロフォン６より出力される音声信号を記録可能な信号に音声信号処理部で変換してメモリカード２に記録する。メモリカード２は、不揮発性メモリとして例えばフラッシュメモリで構成され、カードスロット３に着脱自在となっており、つまりメモリカード２に記録した情報は外部に取り出すことができる。
【００３０】
制御装置１５のメモリカード２に画像及び音声信号を記録する動作は、常時連続して行なわれ、この場合、メモリカード２の所定の記憶領域に記憶されて過去一定時間の情報が常に蓄えられることになるが、この所定の記憶領域の記憶容量を超えたときは、古い情報の上に新しい情報を順次書き換えていく。そして、外部より、事故等により強い衝撃を受けて加速度センサ２０からの信号が、或いは、運転手の操作によりドアオープンスイッチ２１からの信号が入力されると、制御装置１５は、次のようにメモリカード２に画像及び音声信号を記録する。
【００３１】
即ち図３に示すように、メモリカード２には記憶領域として第１記憶領域から第１０記憶領域までが形成されており、制御装置１５は、電源が投入されると、まず第１記憶領域に画像及び音声信号を、該第１記憶領域の記憶容量が満杯になるまで記録する。第１記憶領域の記憶容量が満杯になると、制御装置１５は、この第１記憶領域に記憶された古い情報から順次新しい情報に書き換えていき、常時はこの動作を繰り返す。そして、この動作中に、加速度センサ２０またはドアオープンスイッチ２１からの信号が入力されると、制御装置１５は、第１記憶領域の記憶容量が満杯になるまで記録した後、第２記憶領域に移行して、この第２記憶領域に画像及び音声信号を記憶する。つまり加速度センサ２０またはドアオープンスイッチ２１からの信号が入力されると、第１記憶領域に記録した情報は保存されることになり、即ち加速度センサ２０またはドアオープンスイッチ２１からの信号が入力された前後の一定時間の画像及び音声情報（以下、事故犯罪等情報ともいう）が第１記憶領域に保存されることになる。なお、図３は、メモリカード２の記憶領域を示す説明図である。
【００３２】
そして第２記憶領域に移行すると、制御装置１５は、以降、第１記憶領域に記録した場合と同様な動作を繰り返していき、これは第１０記憶領域に事故犯罪等情報が記録保存されるまで継続する。従って、メモリカード２には、最大１０の事故犯罪等情報が記録保存可能となる。なお、加速度センサ２０は、事故等により強い衝撃を受けたときに、即ち所定値以上の加速度を検出すると、制御装置１５に所定の信号を出力するためのセンサである。また、ドアオープンスイッチ２１は、運転席の近傍に設けられ、運転手の操作により自動車後方左側のドアを開くためのスイッチであって、このドアオープンスイッチ２１が操作されることにより制御装置１５に所定の信号が出力される。なお本実施形態では、自動車はタクシーを想定しており、従ってドアオープンスイッチ２１は既存の装置であり、このドアオープンスイッチ２１が操作されると図示しないドア自動開放装置が駆動する。また制御装置１５は、画像及び音声情報以外にも時間情報も併せて記録する。更に例えば、速度計からの信号も制御装置１５に入力して自動車の速度情報も併せて記録するようにしても良い。
【００３３】
ここで、本実施形態の車載画像記録装置１１は、通常、自動車のバッテリー等の外部電源２４で動作するもので、つまり自動車のキーがＡＣＣまたはＯＮ状態の位置にあるときは（以下、運行中ともいう）、キー入力３０からの信号が電源切換回路２２に入力され、外部電源２４からの電力供給により何らの操作も必要なく自動的に記録されるようになっている。更に車載画像記録装置１１は、蓄電式の非常電源２３及び電源切換回路２２も備えており、何らかの理由で、運行中にもかかわらず外部電源２４からの電力供給が途絶えたときは、即ちキー入力３０からの信号が電源切換回路２２に入力されているにもかかわらず外部電源２４からの電力供給が途絶えたときは、異常と判断されて自動的に電源切換回路２２が働き、非常電源２３から電力供給が行なわれる。従って、この場合においても車載画像記録装置１１は、非常電源２３からの電力供給により何らの操作も必要なく自動的に記録される。他方、キー入力３０からの信号が電源切換回路２２に入力されていないときに、外部電源２４からの電力供給が途絶えたときは、正常と判断されて電源切換回路２２は非常電源２３に切り換えることはない。なお、非常電源２３としては充電式電池が挙げられ、外部電源２４に接続されているときに自動的に充電されるようにすると良い。また、電池のみ取り出して充電を行うようにしても良い。
【００３４】
ＬＥＤ９は、メモリカード２の記憶容量が満杯になっていることを報知するためのもので、メモリカード２の第１０記憶領域に情報が記録保存されると点灯或いは点滅する。従ってＬＥＤ９が点灯或いは点滅していると、メモリカード２には情報が記録されない。ＬＣＤ７は、メモリカード２に記憶された画像情報を表示するためのもので液晶パネル等で構成され、操作ボタン８の操作に従って画像の再生等を行う。スピーカ１０は、メモリカード２に記憶された音声情報を操作ボタン８の操作に従って再生する。なお、操作ボタン８には、メモリカード２に保存されたデータを消去するボタンも備えられ、ＬＥＤ９が点灯したとき等に操作してメモリカード２に保存された全データまたは所定のデータを消去する。更に、操作ボタン８には、運行中以外であっても強制的に車載画像記録装置１１を動作するボタンを設けるようにしても良い。これは、このボタン操作により電源切換回路２２で非常電源２３に切り換えて電力供給されることで達成される。
【００３５】
従って本実施形態の車載画像記録装置１１は、自動車のバッテリーがオンした時から自動的に、ＣＣＤカメラ５が前方の車や人等の映像の撮影を開始すると共にマイクロフォン６が周囲の音声を取り込み、メモリカード２の所定の記憶領域に画像及び音声情報を記録し続け、当該記憶領域の記録容量を超える毎に古い情報の上に新しい情報を順次書き換えていく。そして、自動車が事故等に遭遇すると、その瞬間の衝撃を、加速度センサ２０により検知して、事故前後の記録情報が残るように、制御装置１５は当該記憶領域の記録容量が満杯になった時点で当該記憶領域への記録動作を停止して当該記憶領域の記録を保存した後、別の記憶領域に継続して画像及び音声情報を記録し続ける。従って車載画像記録装置１１には、事故前後の記録情報が確実に保存され、それ故、事故後に現場検証をする際に、事故前後の状況を画像と音声の両面から再確認でき、事故発生時の状況や原因が正確に把握できると共に、有力な証拠となり、公正な過失責任の分配等が行なえる。
【００３６】
また、ドアオープンスイッチ２１からの信号が入力されると、制御装置１５は、事故に遭遇したとき同様に、運転手がドアオープンスイッチ２１を操作して自動車のドアをオープンした前後の記録情報が、所定の記憶領域に確実に保存されるようになるので、それ故、タクシーの客になりすまして売上金を強奪する凶悪な事件等が発生しても、犯人を特定するうえで貴重な証拠となるデータ、即ち犯人がタクシーを止める時等に撮影された犯人の顔や車内での犯人の声等のデータを再確認することが可能となり、事件解明に大いに役立つことができ、延いては犯罪の抑止にもつながる。更に、ドアオープンスイッチ２１及びドアオープン装置は、タクシーには標準装備されている既存の装備なので新たに設ける必要がなく、コストダウンになる。
【００３７】
なお本実施形態の車載画像記録装置１１は、上述した構成以外にも種々考えられ、例えばメモリカード２の記憶領域の数や１つの記憶領域に記録できる時間は適宜設定すれば良い。また、メモリカード２の記憶容量が満杯になったときは、継続的に最も古い記憶領域に保存されている記録の上に新しい情報を上書きするようにしても良い。但しこの場合には、メモリカード２の記憶容量が満杯になる前に、例えば、記録保存可能な残りの記憶領域の数が１つになったときに、ＬＥＤ９を点灯または点滅するようにすると良い。またＬＥＤ９は、メモリカード２の記憶領域と同じ数だけ設け、記憶領域に情報が記録保存される毎に累積的に点灯するようにしても良い。このようにすると、メモリカード２の残りの記憶容量が容易に把握できる。或いはメモリカード２の記憶容量が満杯になったときは、ＬＣＤ７に所定の文字等を表示してその旨を報知するようにしても良い。
【００３８】
また、加速度センサ２０からの信号が制御装置１５に入力されたときは、即ち事故が発生した確率が高いときは、それ以降、キー入力３０からの信号の有無にかかわらず、緊急処理として予め設定された時間だけは外部電源２４または非常電源２３からの電力供給により車載画像記録装置１１を強制的に継続して動作させるようにしても良い。これは、事故の衝撃等によりキー入力３０からの信号が正常に制御装置１５に入力されない場合や、事故後運転手がキー操作により車のエンジンを停止してキー入力３０からの信号出力が遮断された場合等を想定しており、従ってこのようにすると、二次的な事故、例えば後続の車等が追突するような事故等も確実に記録することが可能となる。
【００３９】
また、ＣＣＤカメラ５及びマイクロフォン６は、車載画像記録装置本体１とは別に前後左右の適宜箇所に複数設けても良く、車外に設けるようにしても良い。そして、このようにＣＣＤカメラ５及びマイクロフォン６を複数設けた場合には、無条件に車載画像記録装置１１を２４時間フル稼働するようにしても良い。或いは、自動車の何れのドアがオープンしても検知可能なセンサを設け、このセンサからの信号により車載画像記録装置１１を動作するようにしても良い。更にこの場合には、暗闇の中でも撮影できるように赤外線ＣＣＤカメラを搭載しておくと良い。このようにすると、非常電源２３の容量を大きくする必要はあるものの、車の盗難や車上荒らしの犯人を上述したように特定することも可能となり、犯罪の抑止につながると共に車のセキュリティ向上にもなる。
【００４０】
また、車載画像記録装置本体１とは別に大容量のストレージを車内または車外に設け、メモリカード２に記録したデータを有線または無線通信にてリアルタイムでストレージに送信して保存するようにしても良い。或いは、同様に、メモリカード２の記憶容量が満杯になったときに送信するようにしても良い。このようにすれば、重要なデータが消失してしまうことを極力防止することができる。
【００４１】
また、加速度センサ２０は、車載画像記録装置本体１とは別に車体の重心付近に取り付けるようにしても良い。このようにすると加速度センサ２０の検出精度が上昇する。
【００４２】
次に特許請求の範囲の構成と、本発明の実施形態との主な対応を説明する。撮影手段はＣＣＤカメラ５に、記録媒体はメモリカード２に、複数の記憶領域は第１〜第１０記憶領域に、車載画像記録装置は車載画像記録装置１１に、操作手段はドアオープンスイッチ２１に、検出手段は加速度センサ２０に、更新記録手段、制御手段、記録禁止手段、記録継続手段は制御装置１５に、報知手段はＬＥＤ９にそれぞれ相当する。
【図面の簡単な説明】
【００４３】
【図１】本実施例の車載画像記録装置本体１の外観斜視図である。
【図２】本実施例の車載画像記録装置１１の制御系統を示すブロック図である。
【図３】本実施例のメモリカード２の記憶領域を示す説明図である。
【符号の説明】
【００４４】
１…車載画像記録装置本体、  ２…メモリカード、
３…カードスロット、  ４…筐体、５…ＣＣＤカメラ、
６…マイクロフォン、  ７…ＬＣＤ（液晶ディスプレイ）、
８…操作ボタン、  ９…ＬＥＤ（発光ダイオード）、
１０…スピーカ、  １１…車載画像記録装置、
１５…制御装置、  ２０…加速度センサ、
２１…ドアオープンスイッチ、  ２２…電源切換回路、
２３…非常電源、  ２４…外部電源、
３０…キー入力。
【図１】
2006350583.tif 000003
【図２】
2006350583.tif 000004
【図３】
2006350583.tif 000005